(57)【要約】【課題】ヒューズなどの交換を必要とせず、過電流による発熱や回路破損を継続して防ぐことができると共に、回路損失を抑制でき、信頼性及び利便性の高い電子機器を提供すること。【解決手段】電源２と、電源２に接続される回路３ａ，３ｂ，３ｃと、を備えた電子機器１であって、電源２及び回路３ｃ間に配置され、電源２及び回路３ｃ間を接続状態又は遮断状態に切り替えるスイッチ４を備えると共に、電源２及び回路３ｃ間における電流によって誘起される電流を検出する誘導電流検出部７と、誘導電流検出部７からの検出値に応じてスイッチ４を遮断状態に制御する制御部５を備えた。【選択図】図１
2008079355.tif 000002
【特許請求の範囲】
【請求項１】
電源と、前記電源に接続される回路と、を備えた電子機器であって、
前記電源及び前記回路間に配置され、前記電源及び前記回路間を接続状態又は遮断状態に切り替えるスイッチを備えると共に、
前記電源及び前記回路間における電流によって誘起される電流を検出する誘導電流検出部と、当該誘導電流検出部からの検出値に応じて前記スイッチを遮断状態に制御する制御部と、を備えた、ことを特徴とする電子機器。
【請求項２】
前記誘導電流検出部を、前記電源及び前記回路間の接続線路に並設した、ことを特徴とする請求項１記載の電子機器。
【請求項３】
前記誘導電流検出部を、前記電源及び前記回路間の接続線路に近接して設けた、ことを特徴とする請求項２記載の電子機器。
【請求項４】
前記誘導電流検出部による検出値が、前記電子機器の起動時における値よりも高い予め設定された値を超えるものである場合に、前記制御部が前記スイッチを遮断状態に制御する、ことを特徴とする請求項１，２又は３記載の電子機器。
【請求項５】
前記スイッチの遮断状態の継続時間を計測するタイマーを設けると共に、前記制御部が、前記スイッチを遮断状態に制御すると同時に前記タイマーを作動させ、当該タイマーによって予め設定された時間が計測された後に前記スイッチを接続状態に制御する、ことを特徴とする請求項１，２，３又は４記載の電子機器。
【請求項６】
電源と、前記電源に接続される回路と、を備えた電子機器の制御方法であって、
前記電源及び前記回路間の電流によって誘起される電流を検出する第１の工程と、
この検出した値に応じて、前記電源及び前記回路間に設けられ、前記電源及び前記回路間を接続状態又は遮断状態に切り替えるスイッチを遮断状態に制御する第２の工程と、
を有することを特徴とする電子機器の制御方法。
【請求項７】
前記第２の工程の後に、前記スイッチの遮断状態の継続時間を計測して、予め設定した時間が経過した後に、前記スイッチを接続状態に制御する第３の工程を有する、ことを特徴とする請求項６記載の電子機器の制御方法。
【請求項８】
電源と、前記電源に接続される回路と、を備えた電子機器の制御装置に、
前記電源及び前記回路間の電流によって誘起される電流を検出する誘導電流検出部にて検出した値に応じて、前記電源及び前記回路間に設けられ前記電源及び前記回路間を接続状態又は遮断状態に切り替えるスイッチを遮断状態に制御する工程、
を実行させるためのプログラム。
【発明の詳細な説明】
【技術分野】
【０００１】
本発明は、電子機器にかかり、特に、過電流に対する保護回路を備えた電子機器に関する。
【背景技術】
【０００２】
電子機器における回路の故障や電子機器の内部に水が浸入することで回路が短絡すると、回路に過電流が発生し、回路破損による機能停止や発熱などが生じることがあった。この対策としては、従来より、過電流が発生するおそれのある回路にヒューズを接続して、電流を遮断する方法が用いられている。
【０００３】
また、過電流に対する保護回路を備えた電子機器の構造としては、特許文献１に示すような構造が用いられている。具体的には、送信増幅回路と、電池と、の間に、電流検出部と、バーストスイッチと、が設けられている。さらに、電流検出部には制御部が接続されており、制御部と、バーストスイッチと、の間に、バースト制御部が設けられている。そして、電流検出部は、送信増幅回路へ流れる過電流を検出したとき、その情報を制御部へ送る。そして、この情報を受けた制御部は、バースト制御部を制御してバーストスイッチをオフにさせる。
【０００４】
【特許文献１】特開平１１―８８２２６
【発明の開示】
【発明が解決しようとする課題】
【０００５】
しかしながら、上述したように、過電流が発生するおそれのある回路にヒューズを挿入して電流を遮断する方法は、一度過電流が流れてヒューズが切れてしまうと、ヒューズを交換しないと再度保護回路として利用することができない、という問題が生じる。
【０００６】
また、上記特許文献１に示す構造は、電流検出部を、回路に直列に入力するため、直列抵抗分の電圧降下が生じてしまう、という問題が生じる。
【０００７】
このため、本発明では、上記従来例の有する不都合を改善し、特に、これにより、ヒューズなどの交換を必要とせず、過電流による発熱や回路破損を継続して防ぐことができると共に、回路損失を抑制でき、信頼性及び利便性の高い電子機器を提供すること、をその目的とする。
【課題を解決するための手段】
【０００８】
そこで、本発明の一形態である電子機器は、電源と、電源に接続される回路と、を備えた電子機器であって、電源及び回路間に配置され、電源及び回路間を接続状態又は遮断状態に切り替えるスイッチを備えると共に、電源及び回路間における電流によって誘起される電流を検出する誘導電流検出部と、誘導電流検出部からの検出値に応じてスイッチを遮断状態に制御する制御部を備えた、ことを特徴としている。かかる構成によると、電源及び回路間に電流が流れた場合に、この電流の周りに磁界が生じる。そして、電源及び回路間の電流が増加又は減少すると、同時に誘導電流検出部を通過する磁束も増加又は減少するため、電磁誘導により誘導電流検出部に電流が誘起される。そして、誘導電流検出部による検出値に応じて、制御部がスイッチを遮断状態に制御し、電源及び回路間の電流を遮断する。これにより、回路の短絡や故障などによって、電源及び回路間に回路破損が生じる電流が生じても、ヒューズなどを用いることなく電源及び回路間の電流を遮断することができ、発熱や回路破損を防ぐことができる。また、制御部がスイッチを制御して、接続状態又は遮断状態を随時切り替えるため、ヒューズなどのように交換を必要とせず、継続して使用することができる。さらに、誘導電流検出部を電源及び回路間に接続せずに電流を検出するため、直列接続による直列抵抗分の電圧降下などの回路の損失を防ぐことができる。
【０００９】
そして、誘導電流検出部を、電源及び回路間の接続線路に並設した、ことを特徴としている。かかる構成によると、誘導電流検出部を、電源及び回路間の接続線路に並設するため、電源及び回路間の電流の変化に伴って誘起される電流を、確実に得ることができる。
【００１０】
さらに、誘導電流検出部を、電源及び回路間の接続線路に近接して設けた、ことを特徴としている。かかる構成によると、電源及び回路間の接続線路に誘導電流検出部を近接して設けるため、電子機器内に複数の回路が設けられていても、対象となる電源及び回路間の電流による磁束を、誘導電流検出部に確実に通過させることができる。したがって、対象となる電源及び回路間の電流の変化に伴って誘起される電流を、より確実に得ることができる。
【００１１】
また、誘導電流検出部による検出値が、電子機器の起動時における値よりも高い予め設定された値を超えるものである場合に、制御部がスイッチを遮断状態に制御する、ことを特徴としている。これにより、誘導電流検出部による検出値が、電子機器の起動時における値よりも高いものであって、予め設定された値を超えるものである場合に、制御部によってスイッチが遮断状態に制御される。したがって、電源及び回路間の電流が、通常使用状態の電流から、回路破損などが生じる電流に変化した場合のみ、電源及び回路間の電流を遮断して、発熱や回路破損を防ぐことができる。
【００１２】
また、スイッチの遮断状態の継続時間を計測するタイマーを設けると共に、制御部が、スイッチを遮断状態に制御すると同時にタイマーを作動させ、タイマーによって予め設定された時間が計測された後にスイッチを接続状態に制御する、ことを特徴としている。これにより、スイッチが電源及び回路間の電流を遮断して、予め設定された時間が経過した後に、再び電源及び回路間が接続される。したがって、電源及び回路間の電流が通常状態に戻っている場合に、自動的に電子機器を使用する状態に復旧させることができる。
【００１３】
本発明の他の形態である、電源と、電源に接続される回路と、を備えた電子機器の制御方法は、電源及び回路間の電流によって誘起される電流を検出する第１の工程と、検出した値に応じて、電源及び回路間に設けられ、電源及び回路間を接続状態又は遮断状態に切り替えるスイッチを遮断状態に制御する第２の工程と、を有することを特徴としている。
【００１４】
また、第２の工程の後に、スイッチの遮断状態の継続時間を計測して、予め設定した時間が経過した後に、スイッチを接続状態に制御する第３の工程を有する、ことを特徴としている。
【００１５】
さらに、本発明では、上記方法を、電子機器の制御装置に実行させるプログラムをも提供している。
【００１６】
上記方法及びプログラムの発明であっても、上述した電子機器と同様に作用するため、上記発明の目的を達成することができる。
【発明の効果】
【００１７】
本発明は、以上のように構成され機能するので、これによると、電源及び回路間における電流によって誘起される電流を検出し、この時の検出値に応じて電源及び回路間の電流を接続又は遮断することができる。したがって、ヒューズなどの交換を必要とせずに、過電流による発熱や回路破損を継続して防ぐことができると共に、回路の損失を防ぐことができ、電子機器の信頼性、利便性、さらには設計の自由度を向上させることができる、という従来にない優れた効果を有する。
【発明を実施するための最良の形態】
【００１８】
本発明は、誘導電流検出部が、電源及び回路間における電流によって誘起される電流を検出し、誘導電流検出部による検出値に応じて、制御部がスイッチを接続状態又は遮断状態に切り替える、ことに特徴を有する。以下、具体的な構成及び作用を、実施例を参照して説明する。
【実施例１】
【００１９】
本発明の第１の実施例を、図１乃至図６を参照して説明する。図１は、本実施例における電子機器の構成を示すブロック図である。図２は、誘導電流検出部の構成を示した構成図である。図３は、制御部の構成を示す機能ブロック図である。図４は、電源及び回路間の電流が増加した場合における誘導電流検出部の動作を説明した説明図である。図５は、電源及び回路間の電流が減少した場合における誘導電流検出部の動作を説明した説明図である。図６は、電子機器の動作を説明するフローチャートである。
【００２０】
［構成］
本実施例における電子機器１は、例えば、携帯電話である。この電子機器１の内部構成は、図１に示すように、電源２と、回路３ａ，３ｂ，３ｃと、が接続されており、電源２及び回路３ｃ間にスイッチ４が接続されている。さらに、スイッチ４は、制御部５と接続されており、この制御部５は増幅回路６と接続されている。そして、増幅回路６は、誘導電流検出部７と接続されている。なお、本実施例では、電子機器１が携帯電話である場合を説明するが、これは一例であって、パソコンや、ＰＨＳ（Personal Handyphone
System）、固定電話機端末、ＰＤＡ（Personal Digital Assistance）など、いかなる電子機器であってもよい。以下、各構成について詳述する。
【００２１】
電源２は、回路に電力を供給するバッテリーであり、回路３ａ，３ｂ，３ｃと後述するパターン８１を介して接続されている。
【００２２】
パターン（接続線路）８１，８２は、電子部品間や電源及び回路間を接続する際に用いられ、電源２及び回路３ｃ間を接続している。また、後述する誘導電流検出部７の内部にも用いられている。
【００２３】
回路３ａ，３ｂ，３ｃは、電子機器１における各機能を実現させるものであり、各回路３ａ乃至３ｃは、電源２と接続されている。また、各回路３ａ乃至３ｃは、それぞれ接地されており、電源２及び回路３ｃ間にのみ、スイッチ４が接続されている。このスイッチ４は、電源２及び回路３ｃ間に直列に接続され、後述するスイッチ制御処理部５１からの指令に基づいて、電源２及び回路３ｃ間を、接続状態又は遮断状態に切り替えるものである。具体的には、スイッチ４は、電源２及び回路３ｃ間に過電流が生じると、スイッチ制御処理部５１から指令を受けて、電源２及び回路３ｃ間を遮断状態に切り替える。なお、本実施例では、電子機器１が、回路を３つ備えている場合を説明したが、これは一例であって、回路の数は３つの場合に限られない。
【００２４】
誘導電流検出部７は、電源２及び回路３ｃ間を接続しているパターン８１の電流によって、電磁誘導により誘起された電流を検出する検出回路である。この誘導電流検出部７は、パターン８２と、抵抗９と、を備えており、パターン８２の一端は接地（GND）され、他端は後述する増幅回路６に接続されている。具体的には、図２に示すように、パターン８２は、電源２及びスイッチ４間を接続しているパターン８１に平行かつ近接して配置され、電源２側で回路３ｃ側に折り返すように形成されている。そして、パターン８２の一端であるスイッチ４側は接地され、折り返された他端側は増幅回路６に接続されている。また、パターン８２の一端側と他端側との間には抵抗９が配置されている。これにより、図４乃至図５に示すように、誘導電流検出部７は、パターン８１に生じる磁界Ｂによって、電磁誘導により誘起された電流を検出することができる。なお、本実施例では、誘導電流検出部７を、電源２及びスイッチ４間を接続しているパターン８１に平行かつ近接して配置した場合を説明したが、平行かつ近接して配置した場合に限定されない。電源２及び回路３ｃ間を接続しているパターン８１の電流によって、電磁誘導により電流を誘起できる場所であればよい。
【００２５】
制御部５は、例えば、電子機器を制御するＣＰＵなどであって、電子機器１の内部に備えられている。そして、図３に示すように、制御部５には、プログラムが組み込まれることによって、スイッチ制御処理部５１が構築されている。また、制御部５は、後述する増幅回路６と、スイッチ４と、に接続されている。
【００２６】
スイッチ制御処理部５１は、後述する増幅器６からの電圧値Ｖに応じて、スイッチ４に指令を送るものである。なお、電圧値Ｖは、電源２及び回路３ｃ間の電流Ｉ１が変化することにより、パターン８２に接続された抵抗９の地点ｂにおいて検出される電圧値を、増幅回路６により増幅させた値である。そして、スイッチ制御処理部５１に入力される電圧値Ｖが、電子機器１の起動時の値よりも高い予め設定された値Ｖｔｈを超えるものであった場合（Ｖ≧Ｖｔｈ）に、スイッチ４を遮断状態に切り替える指令を送る。本実施例では、予め設定することができる電圧値Ｖｔｈを、電源２及び回路３ｃ間の電流が、通常使用状態と比較して、過電流（回路破損などが生じる電流）とされる値に設定している。これにより、入力される電圧値Ｖが過電流発生時の値Ｖｔｈを超えるものである場合のみ、スイッチ４を遮断状態に制御し、電源及び回路間の電流を遮断することができる。
【００２７】
増幅回路６は、入力された電気信号に対して、より大きな電力を持つ出力の電気信号を得るものである。この増幅回路６は、誘導電流検出部７及び制御部５間に接続されている。そして、誘導電流検出部７からの電力を増幅して制御部５に送出する。
【００２８】
［動作］
次に、本実施例における電子機器の動作を、図４乃至図６を参照して説明する。なお、電子機器１の初期状態では、スイッチ４は接続状態であるものとする。まず、電子機器１が起動され、電源２から回路３ａ，３ｂ，３ｃに電流が流れる（ステップＳ１）。このとき、図４乃至図５に示したように、電源２及びスイッチ４間を接続するパターン８１には、電流Ｉ１がブロック矢印の向きに流れ、線矢印の向きに磁界Ｂが生じる。そして、電流Ｉ１が増加すると、パターン８２では、通過する磁束が増加するため、電磁誘導により、この磁束の増加を妨げる向き（図４のブロック矢印の向き）に電流Ｉ２が流れる。そして、電流Ｉ１が減少すると、パターン８２を通過する磁束が減少するため、磁束の減少を妨げる向き（図５のブロック矢印の向き）に電流Ｉ２が流れる。すると、パターン８２に接続された抵抗９の地点ｂにおいて、電流Ｉ１の変化に応じた電圧値が検出される。そして、増幅回路６を介することによって、スイッチ制御処理部５１では増幅された電圧値Ｖが検出される（ステップＳ２）。ここで、電子機器１の起動時においては、スイッチ制御処理部５１に入力される電圧値Ｖは、過電流発生時の値Ｖｔｈよりも低いもの（Ｖ＜Ｖｔｈ）であるため（ステップＳ３にて否定判断）、スイッチ４は接続されたままとなり、回路３ｃは作動状態となる（ステップＳ５にて否定判断）。
【００２９】
続いて、電源２及び回路３ｃ間の電流が増加し、過電流が流れた場合には、入力された電圧値Ｖを検出し（ステップＳ２）、設定電圧値Ｖｔｈと比較すると、ＶがＶｔｈよりも高い（Ｖ≧Ｖｔｈ）と判断されて、スイッチ制御処理部５１からスイッチ４に遮断する指令が送られる（ステップＳ３にて肯定判断）。すると、スイッチ４が、電源２及び回路３ｃ間の電流を遮断する（ステップＳ４）。
【００３０】
次に、上記動作により電源２及び回路３ｃ間の電流が遮断された後に、電子機器１を再び起動させた場合には（ステップＳ１）、スイッチ制御処理部５１にて電圧値Ｖが検出される（ステップＳ２）。そして、ＶはＶｔｈよりも高いと判断されず（ステップＳ３にて否定判断）、電源２及び回路３ｃ間は前回の使用時に遮断されているため（ステップＳ５にて肯定判断）、スイッチ制御処理部５１からスイッチ４に接続する指令が送られる。すると、スイッチ４が、電源２及び回路３ｃ間を接続する（ステップＳ６）。これにより、電源２に接続される回路３ａ，３ｂ，３ｃのうち、過電流からの保護対象である電源２及び回路３ｃ間の電流のみ遮断することができると共に、ヒューズなどのように交換を必要とせず、継続して使用することができる。
【００３１】
なお、本実施例では、電源２及び回路３ｃ間にのみ、スイッチ４が接続された場合を説明したが、これは一例であって、電源２及び回路３ａ，３ｂ，３ｃ間にそれぞれスイッチ４を接続して、各スイッチ４を制御部５で制御してもよい。
【実施例２】
【００３２】
次に、本発明の第２の実施例を、図７乃至図９を参照して説明する。図７は、本実施例における電子機器の構成を示すブロック図である。図８は、制御部の構成を示す機能ブロック図である。図９は、電子機器の動作を説明するフローチャートである。本実施例では、上述した実施例１とほぼ同様の構成を採っているが、制御部５にタイマー１０を接続した点、及び制御部５にタイマー制御処理部５２が構築された点が異なる。
【００３３】
本実施例における電子機器２１は、例えば、携帯電話である。この電子機器２１の内部構成は、図７に示すように、電源２と、回路３ａ，３ｂ，３ｃと、が接続されており、電源２及び回路３ｃ間にスイッチ４が接続されている。さらに、スイッチ４は、制御部５と接続されており、この制御部５は、増幅回路６と、タイマー１０と、接続されている。そして、増幅回路６は、誘導電流検出部７と接続されている。以下、図７乃至図９を参照して、実施例１と異なる構成について詳述する。
【００３４】
制御部５は、例えば、電子機器を制御するＣＰＵなどであって、電子機器２１の内部に備えられている。そして、図８に示すように、制御部５には、プログラムが組み込まれることによって、スイッチ制御処理部５１と、タイマー制御処理部５２と、が構築されている。また、制御部５は、増幅回路６と、スイッチ４と、後述するタイマー１０と、に接続されている。
【００３５】
スイッチ制御処理部５１は、増幅回路６からの電圧値Ｖに応じて、後述するスイッチ４に指令を送るものである。なお、電圧値Ｖは、電源２及び回路３ｃ間の電流Ｉ１が変化することにより、パターン８２に接続された抵抗９の地点ｂにおいて検出される電圧値を、増幅回路６により増幅させた値である。そして、スイッチ制御処理部５１に入力される電圧値Ｖが、電子機器２１の起動時の値よりも高い予め設定された値Ｖｔｈを超えるものであった場合（Ｖ≧Ｖｔｈ）に、スイッチ４を遮断状態に切り替える指令を送る。本実施例では、予め設定することができる電圧値Ｖｔｈを、電源２及び回路３ｃ間の電流が、通常使用状態と比較して、過電流（回路破損などが生じる電流）とされる値に設定している。また、後述するタイマー制御処理部５２からの指令を受けて、スイッチ４に再び接続状態に切り替える指令を送る。これにより、電源２及び回路３ｃ間の電流が通常状態に戻っている場合に、自動的に電子機器２１を使用する状態に復旧させることができる。
【００３６】
タイマー制御処理部５２は、後述するタイマー１０に計測開始又は計測終了の指令を送り、あるいは、タイマー１０から計測時間の信号を受け取るものである。また、タイマー１０による計測時間を予め設定することができ、本実施例では、電源２及び回路３ｃ間に生じる不具合を予測して、この不具合が解消されるために要する時間を計測時間に設定している。そして、タイマー１０から計測時間の信号を受け取ると、設定された時間を経過したか否かを判断して、設定時間を経過していれば、スイッチ制御処理部５１に、スイッチ４を接続状態に制御するように指令を送る。
【００３７】
タイマー１０は、制御部５に接続されている。また、タイマー１０は、タイマー制御処理部５２からの指令を受けて、スイッチ４の遮断状態の継続時間を計測し、計測時間の信号が、タイマー制御処理部５２に送られる。そして、設定時間された時間が経過すると、タイマー制御処理部５２から計測終了の指令を受け取り、タイマー１０は計測を終了する。
【００３８】
スイッチ４は、電源２及び回路３ｃ間に直列に接続され、スイッチ制御処理部５１からの指令に基づいて、電源２及び回路３ｃ間を、接続状態又は遮断状態に切り替えるものである。具体的には、スイッチ４は、電源２及び回路３ｃ間に過電流が生じると、スイッチ制御処理部５１から指令を受けて、電源２及び回路３ｃ間を遮断状態に切り替える。そして、タイマー１０による計測が設定時間を経過すると、スイッチ制御処理部５１から指令を受け、電源２及び回路３ｃ間を再び接続状態に切り替える。
【００３９】
次に、実施例における動作を、図９を参照して説明する。なお、電子機器２１の初期状態では、スイッチ４は接続状態であるものとする。まず、電子機器２１が起動され、電源２から回路３ａ，３ｂ，３ｃに電流が流れる（ステップＳ２１）。すると、パターン８２に接続された抵抗９の地点ｂにおいて、電流Ｉ１の変化に応じた電圧値が検出される。そして、増幅回路６を介することによって、スイッチ制御処理部５１では増幅された電圧値Ｖが検出される（ステップＳ２２）。ここで、電子機器１の起動時においては、スイッチ制御処理部５１に入力される電圧値Ｖは、過電流発生時の値Ｖｔｈよりも低いもの（Ｖ＜Ｖｔｈ）であるため（ステップＳ２３にて否定判断）、スイッチ４は接続されたままとなり、回路３ｃは作動状態となる（ステップＳ２９にて否定判断）。
【００４０】
続いて、電源２及び回路３ｃ間の電流が増加し、過電流が流れた場合には、入力された電圧値Ｖを検出し（ステップＳ２２）、設定電圧値Ｖｔｈと比較すると、ＶがＶｔｈよりも高い（Ｖ≧Ｖｔｈ）と判断されて、スイッチ制御処理部５１からスイッチ４に遮断する指令が送られる（ステップＳ２３にて肯定判断）。このとき、タイマー１０に計測開始の指令が送られ、タイマー１０が計測を開始する（ステップＳ２４）。これと同時にスイッチ制御処理部５１からスイッチ４に遮断する指令が送られて、スイッチ４が、電源２及び回路３ｃ間の電流を遮断する（ステップＳ２５）。そして、タイマー制御処理部５２にて、タイマー１０の計測時間が設定時間を経過したと判断されると（ステップＳ２６にて肯定判断）、タイマー１０には、計測終了の指令が送られ、同時にスイッチ制御処理部５１には、スイッチ４を接続するように指令が送られる。すると、計測終了の指令を受けたタイマー１０は計測を終了させ（ステップＳ２７）、スイッチ４を接続するように指令を受けたスイッチ制御処理部５１は、スイッチ４に接続する指令を送り、電源２及び回路３ｃ間を再び接続する（ステップＳ２８）。
【００４１】
次に、電源２及び回路３ｃ間の電流が遮断されている場合に、電子機器２１を再び起動させると（ステップＳ２１）、スイッチ制御処理部５１にて電圧値Ｖが検出される（ステップＳ２２）。そして、ＶはＶｔｈよりも高いと判断されず（ステップＳ２３にて否定判断）、電源２及び回路３ｃ間は遮断されているため（ステップＳ２９にて肯定判断）、スイッチ制御処理部５１からスイッチ４に接続する指令が送られる。すると、スイッチ４が、電源２及び回路３ｃ間を接続する（ステップＳ３０）。
【００４２】
これにより、電源２及び回路３ｃ間に過電流が流れ、電源２及び回路３ｃ間が遮断された場合であっても、タイマー１０の計測時間が設定時間を経過した後に、自動的に電源２及び回路３ｃ間を接続することができる。なお、電源２及び回路３ｃ間に過電流が流れる状態が、設定時間の経過後に改善されていなければ、過電流による電圧値が再び入力され、電源２及び回路３ｃ間が遮断されるため、回路破損などを継続して防ぐことができる。
【産業上の利用可能性】
【００４３】
本発明は、電源及び回路を有する電子機器などに利用することができ、産業上の利用可能性を有する。
【図面の簡単な説明】
【００４４】
【図１】実施例１における電子機器の構成を示すブロック図である。
【図２】実施例１における誘導電流検出部の構成を示した構成図である。
【図３】実施例１における制御部の構成を示す機能ブロック図である。
【図４】電源及び回路間の電流が増加した場合における誘導電流検出部の動作を説明した説明図である。
【図５】電源及び回路間の電流が減少した場合における誘導電流検出部の動作を説明した説明図である。
【図６】実施例１における電子機器の動作を説明するフローチャートである。
【図７】実施例２における電子機器の構成を示すブロック図である。
【図８】実施例２における制御部の構成を示す機能ブロック図である。
【図９】実施例２における電子機器の動作を説明するフローチャートである。
【符号の説明】
【００４５】
１，２１  電子機器
２  電源
３ａ，３ｂ，３ｃ  回路
４  スイッチ
５  制御部
６  増幅回路
７  誘導電流検出部
８１，８２  パターン（接続線路）
９  抵抗
１０  タイマー
５１  スイッチ制御処理部
５２  タイマー制御処理部
【図１】
2008079355.tif 000003
【図２】
2008079355.tif 000004
【図３】
2008079355.tif 000005
【図４】
2008079355.tif 000006
【図５】
2008079355.tif 000007
【図６】
2008079355.tif 000008
【図７】
2008079355.tif 000009
【図８】
2008079355.tif 000010
【図９】
2008079355.tif 000011